(57)【要約】【課題】ＶＯＣを含むウエス等の廃棄物等の揮発性ガスの放散し得る廃棄物等を収納するための容器であって、比較的簡単な機構で、安価に製造可能な、揮発性ガスの容器からの漏洩を防止し得る収納容器を提供する。【解決手段】収納容器本体(10)、前記本体の上部に設けた中間室(11)、中間室の上部に設けた開閉自在の蓋(12)を有し、前記収納容器本体(10)と中間室(11)との間及び前記中間室(11)と蓋(12)の間には、それぞれ弁機能を有する部分(13a、14a)を有する遮蔽膜(13、14)を有し、中間室(11)から中間室内の雰囲気の吸引装置(15)を有し、前記吸引装置(15)は、少なくとも前記蓋(12)の開閉時に、蓋(12)の開閉と連動して前記雰囲気を吸引する、収納容器(1)。【選択図】図１
2014180647.tif 000002
【特許請求の範囲】
【請求項１】
収納容器本体(10)、
前記本体の上部に設けた中間室(11)、
中間室の上部に設けた開閉自在の蓋(12)を有し、
前記収納容器本体(10)と中間室(11)との間及び前記中間室(11)と蓋(12)の間には、それぞれ弁機能を有する部分(13a、14a)を有する遮蔽膜(13、14)を有し、
中間室(11)から中間室内の雰囲気の吸引装置(15)を有し、前記吸引装置(15)は、少なくとも前記蓋(12)の開閉時に、蓋(12)の開閉と連動して前記雰囲気を吸引する、
収納容器(1)。
【請求項２】
前記収納容器(1)は、前記収納容器本体(10)に揮発性ガスを発生し得る物品を収納するためのものであり、前記中間室(11)内の雰囲気には、前記揮発性ガスが含有される可能性があり、前記吸引装置は、前記揮発性ガスを吸着及び／又は分解する装置を併設する、請求項1に記載の収納容器。
【請求項３】
弁機能を有する部分(13a、14a)を有する遮蔽膜(13、14)は、弁機能を有する部分が、遮蔽膜への複数本の切り込みである、請求項1又は2に記載の収納容器。
【請求項４】
前記蓋(12)は、略水平方向へスライドして開閉する蓋である、請求項1〜3のいずれか1項に記載の収納容器。
【請求項５】
前記揮発性ガスを吸着及び／又は分解する装置は、前記揮発性ガスに対する吸着剤を充填した吸着装置であるか、または前記揮発性ガスを分解し得る触媒を充填した分解装置である、請求項1〜4のいずれか1項に記載の収納容器。
【請求項６】
前記吸引装置(15)で吸引した前記中間室(11)内の雰囲気を収納容器本体(10)に戻すための配管をさらに含む、請求項1〜5のいずれか1項に記載の収納容器。
【請求項７】
前記配管は、収納容器本体(10)の上部空間に連絡する、請求項6に記載の収納容器。
【発明の詳細な説明】
【技術分野】
【０００１】
本発明は、揮発性ガスの漏洩を防止し得る機能を有する収納容器に関する。
【背景技術】
【０００２】
大気汚染の汚染物質にはさまざまな物質がある。特に光化学オキシダントに係る大気汚染の状況はいまだ深刻であり、現在でも、光化学オキシダントによる健康被害が数多く届出されており、これに緊急に対処することが必要となっている。また、光化学オキシダントは、新たに環境基準の設定された微小粒子状物質（PM2.5）の生成にも深く関与している。光化学オキシダントの原因の1つとして揮発性有機化合物（ＶＯＣ（volatile organic compounds））がある。ＶＯＣとは、揮発性を有し、大気中で気体状となる有機化合物の総称であり、トルエン、キシレン、酢酸エチルなど多種多様な物質が含まれる。
【０００３】
ＶＯＣの排出は、自動車からの炭化水素の排出規制に加え、工場等の固定発生源からのＶＯＣの排出及び飛散を規制するとともに、ＶＯＣを使用する工場等においても排出規制を強化する必要性が指摘されている。特に、中小の工場においては、ＶＯＣを洗浄用の溶剤として使用し、使用後のＶＯＣを含むウエス等の廃棄物から大気中にＶＯＣが放散している。このような大気中に放散したＶＯＣは、光化学オキシダント等の原因物質になるばかりではなく、工場の作業環境を害するという問題もある。
【先行技術文献】
【特許文献】
【０００４】
【特許文献１】特開平１１−２０８８０１号公報
【発明の概要】
【発明が解決しようとする課題】
【０００５】
これまで、使用後のＶＯＣを含むウエス等の廃棄物は、使用済みウエスを入れるための容器に格納・貯蔵されているが、場合によっては、蓋のない容器が使用されていることもあり、大気中へのＶＯＣの放散を許容している。また、中小の工場では、経済性の観点から、使用後のＶＯＣを含むウエス等の廃棄物の格納や処理に高価な装置は導入しにくい状況である。
【０００６】
使用後のＶＯＣを含むウエス等の廃棄物に特化し、大気中へのＶＯＣの放散を抑制または防止できる格納容器は知られていない。使用後のＶＯＣを含むウエス等の廃棄物に特化したものではないが、特許文献１には、悪臭などによる環境汚染を防止するための脱臭機能付ゴミ箱が開示されている。この脱臭機能付ゴミ箱は、吸着脱臭性光触媒部材を設置したことを特徴とするものであり、蓋を設置することも記載されている。しかし、ＶＯＣを含むウエス等の廃棄物等の揮発性ガスの放散し得る廃棄物等を収納するための容器においては、本発明者らの検討によれば、容器の蓋の開閉時に多量の揮発性ガスの放散が観測された。即ち、吸着脱臭性光触媒部材を設置して揮発性ガスを吸着する以前に、容器の蓋の開閉時の揮発性ガスの放散を抑制することが課題であることが判明した。
【０００７】
そこで本発明は、ＶＯＣを含むウエス等の廃棄物等の揮発性ガスの放散し得る廃棄物等を収納するための容器であって、比較的簡単な機構で、安価に製造可能な、揮発性ガスの容器からの漏洩を防止し得る収納容器を提供することにある。
【課題を解決するための手段】
【０００８】
本発明は、収納容器本体(10)、
前記本体の上部に設けた中間室(11)、
中間室の上部に設けた開閉自在の蓋(12)を有し、
前記収納容器本体(10)と中間室(11)との間及び前記中間室(11)と蓋(12)の間には、それぞれ弁機能を有する部分(13a、14a)を有する遮蔽膜(13、14)を有し、
中間室(11)から中間室内の雰囲気の吸引装置(15)を有し、前記吸引装置(15)は、少なくとも前記蓋(12)の開閉時に、蓋(12)の開閉と連動して前記雰囲気を吸引する、収納容器(1)に関する。
【発明の効果】
【０００９】
本発明によれば、ＶＯＣを含むウエス等の廃棄物等の揮発性ガスの放散し得る廃棄物等を収納するための容器であって、揮発性ガスの容器からの漏洩を防止し得る収納容器を提供するこができる。さらに、本発明の収納容器は、比較的簡単な機構を有するものであり、そのため安価に製造することが可能であり、中小の工場においても普及させることが可能である。
【図面の簡単な説明】
【００１０】
【図１】本発明の収納容器の模式説明図。
【図２】参考例１の実験装置の作製と実験系の概要を示す。
【図３】参考例１の実験結果を示す。
【図４】参考例２の実験装置と結果を示す。
【図５】参考例３の実験装置と結果を示す。
【図６】参考例４の実験装置と結果を示す。
【図７】参考例５の実験装置と結果を示す。
【図８】参考例６の実験装置と結果を示す。
【発明を実施するための形態】
【００１１】
本発明の収納容器(1)について図1を参照して説明する。
本発明の収納容器(1)を構成する収納容器本体(10)及び本体(10)の上部に設けた中間室(11)は、遮蔽膜(13、14)を設けた部分以外は、密閉性のある容器本体及び中間室である。
【００１２】
収納容器本体(10)と中間室(11)との間には、弁機能を有する部分(13a)を有する遮蔽膜(13)を有する。遮蔽膜(13)は、収納容器本体(10)と中間室(11)とを遮蔽し、弁機能を有する部分(13a)以外は密閉性を有する。遮蔽膜(13)は、例えば、有機溶剤による変質を受けにくい、塩化ビニル樹脂やポリエチレン樹脂等の材料からなるフィルムまたはシート材料から構成されることができる。弁機能を有する部分(13a)は、遮蔽膜(13)への複数本の切り込みであることができる。図1に示すように、一点で交差する複数本(図中は3本)の切り込みを遮蔽膜(13)に設けることで、遮蔽膜が本来有する形状を維持しようとする力(復元力)と遮蔽膜が有する柔軟性とを利用して、弁機能を付与することができる。遮蔽膜(13)への複数本の切り込みの本数や形状は、必要とされる弁機能や遮蔽膜の材質や柔軟性等を考慮して適宜決定できる。
【００１３】
中間室(11)と蓋(12)の間にも弁機能を有する部分(14a)を有する遮蔽膜(14)を有する。弁機能を有する部分(14a)を有する遮蔽膜(14)は、弁機能を有する部分(13a)を有する遮蔽膜(13)と同様のものであることができる。蓋(12)は、略水平方向へスライドして開閉する蓋であることが、中間室(11)からの揮発性ガスの漏洩を防止するという観点から好ましい。蓋(12)の略水平方向へのスライド開閉は、例えば、蓋(12)と機械的に連動する蓋開閉用ペダルを踏むことで行うことができる。または、蓋(12)の略水平方向へのスライド開閉は、例えば、電動で行うこともできる。図示しないが、蓋(12)の電動開閉用スイッチを操作することで、開閉させることもできる。
【００１４】
吸引装置(15)は、中間室(11)から中間室内の雰囲気を吸引する装置であり、吸引装置(15)は、少なくとも蓋(12)の開閉時に、蓋(12)の開閉と連動して前記雰囲気を吸引する。蓋(12)の開閉との連動は、蓋(12)の開閉を、機械的に連動する蓋開閉用ペダルを踏むことで行う場合には、吸引装置(15)内への吸引を、蓋開閉用ペダルと連動するピストンで行うことができる。また、蓋(12)の開閉を電動で行う場合には、蓋(12)の電動開閉用スイッチを操作することで、吸引装置(15)内への吸引を行うことができるポンプを作動させることで行える。
【００１５】
本願発明の収納容器(1)は、吸引装置(15)で吸引した中間室(11)内の雰囲気を収納容器本体(10)に戻すための配管をさらに含むことができる。吸引装置(15)で吸引した雰囲気は、収納容器本体(10)に戻すことが吸引した雰囲気の散逸防止という観点から好ましい。さらに、上記配管は収納容器本体(10)の上部空間に連絡していることが好ましい。吸引装置(15)で吸引した雰囲気は、収納容器本体(10)の上部空間に戻すことが、収納容器本体(10)下部に存在する可能性がある高濃度の揮発性ガスの中間室への移動を防止し、結果的に、本発明の収納容器からの揮発性ガスの散逸量を抑制できるという観点から好ましい。
【００１６】
本願発明の収納容器(1)は、前記収納容器本体(10)に揮発性ガスを発生し得る物品を収納するためのものであり、前記中間室(11)内の雰囲気には、前記揮発性ガスが含有される可能性があり、前記吸引装置は、前記揮発性ガスを吸着及び／又は分解する装置を併設するものであることができる。揮発性ガスを吸着及び／又は分解する装置は図示していないが、揮発性ガスに対する吸着剤を充填した吸着装置であるか、または前記揮発性ガスを分解し得る触媒を充填した分解装置であることができる。揮発性ガスに対する吸着剤は、揮発性ガスの種類に応じて、活性炭等の吸着剤を適宜使用することができる。揮発性ガスの分解は、触媒を用いることが好ましく、触媒としては、例えば、揮発性ガスに対する分解活性を有する光触媒を用いることができる。
【実施例】
【００１７】
本発明者らは、本発明の収納容器を発明するに当たり以下に示す各種実験を行い、その結果に基づいて、本発明に至ったものである。
【００１８】
参考例1
ウエス入れの蓋の開け閉め方向によるVOCの漏洩実験
図2に示す実験方法により、図3に示す結果を得た。実験結果のまとめは後述する（以下同様）。実験方法は以下のとおりである。実験用使用済みウエス入れの底面から12cmの位置で、トルエン10mLを開口部直径10cmのビーカーに入れてトルエンを発散させ、蓋部分で1000ppmCの濃度に達した状態で、蓋を真上およびスライドして開け、10分間放置して、トルエン濃度を赤外線式VOC測定器で測定した。
【００１９】
参考例2
ウエス入れ開口部への遮蔽膜によるVOCの漏洩実験
図4に示す実験方法により、図4に示す結果を得た。実験方法は以下のとおりである。蓋の開口部に遮蔽膜を配置し、参考例1と同様に、トルエンを発散させ、発散開始直後から１０分間９０分間、遮蔽膜の切り込み直上部で、トルエン濃度を測定した。
【００２０】
参考例3
ウエス入れへの手の出し入れに伴う、VOCの漏洩実験
図5に示す実験方法により、図5に示す結果を得た。実験方法は以下のとおりである。参考例2の遮蔽膜を設置した条件下で、蓋を真上またはスライドさせて開けて、手の出し入れを行い、10分間のトルエンの漏洩を調べた。
【００２１】
参考例4
VOC分解実験（1）
図6に示す実験方法により、図6に示す結果を得た。
実験方法は以下のとおりである。参考例1の条件でトルエンを発散させ、蓋を閉めた状態で上部の空気をミニポンプで吸引して、光触媒を配置した円筒型処理装置（光触媒分解装置）に導入し、処理後のガスを容器本体最下部に戻した。吸引流量は0.2L/minとして、10分間の測定を行った。（※この結果は、最低部に処理後ガスを戻しても、上部の濃度は全く減少しないことを示している。）
【００２２】
参考例5
VOC分解実験（2）
図7に示す実験方法により、図7に示す結果を得た。
実験方法は以下のとおりである。参考例4の条件で、トルエンを分解処理し、容器本体上部に戻した。（※この結果から、トルエンの濃度が減り、CO2濃度に増加が見られたので、一部が分解処理されていることが分かった。しかしながら、性能としては不十分であることを示している。）
【００２３】
参考例6
VOC分解実験（3）
図8に示す実験方法により、図8に示す結果を得た。
実験方法は以下のとおりである。参考例2の遮蔽膜を蓋から10cm下部に設置し、蓋と遮蔽膜との間の層を吸引して、分解処理を行った。（※この結果から、ウエス入れ本体から遮蔽膜を介して、少量漏洩してくるトルエンを分解処理する方法であれば、光触媒でも、十分にトルエン濃度を下げられることを示している。）
【００２４】
上記参考例1〜6の結果から、以下の知見を得た。
(i)スライド式蓋によるVOC漏洩防止効果（参考例1）
・ピーク濃度の大幅減
・漏洩量は1/2に減少
(ii)遮蔽シートの設置によるVOC漏洩防止効果（参考例2）
・漏洩量は1/10以下に減少
(iii)内側シートの設置により緩衝層を設けることで、（参考例4および6）
・VOC漏洩量は1/3に減少
（※この結果は参考例4および6の実験の予備実験として行った、分解処理を行わない場合のデータ同士の比較である。対応する実験データとしては図示していない。）
(iv)以上を組合せ、緩衝層のVOCを外部で分解処理
（光触媒分解）すれば、緩衝層内VOCを低濃度で維持可能(参考例4〜6)
【産業上の利用可能性】
【００２５】
本発明は、VOC漏洩防止に有効な収納容器 (廃ウエス入れ(容器)) を提供する。
【図１】
2014180647.tif 000003
【図２】
2014180647.tif 000004
【図３】
2014180647.tif 000005
【図４】
2014180647.tif 000006
【図５】
2014180647.tif 000007
【図６】
2014180647.tif 000008
【図７】
2014180647.tif 000009
【図８】
2014180647.tif 000010